(57)【要約】【課題】  １台のプリンタで明細等の印字ができ、内部に紙幣や明細等の紙片を収納可能な封筒状にすることが可能であり、かつ、封筒状にするための作業に手数がかからず、大量の件数でも短時間で処理が可能な封筒型伝票を提供すること。【解決手段】  この発明の封筒型伝票は、用紙本体１に横方向のミシン目２を設けて上段領域３と下段領域４とに分割可能にするとともに、上段領域３を覆う表紙５を設け、上段領域３と表紙５とを前記ミシン目２に沿う部分を除く周縁部６,７,８を接着することによって、前記ミシン目２で分割したときに上段領域３と表紙５とで封筒ができるようにしており、さらに、表紙５は前記ミシン目２より下方に突出したフラップ１０を有するものとしている。【選択図】  図１
2005199500.tif 000002
【特許請求の範囲】
【請求項１】
用紙本体（１）に横方向のミシン目（２）を設けて上段領域（３）と下段領域（４）とに分割可能にするとともに、上段領域（３）を覆う表紙（５）を設け、上段領域（３）と表紙（５）とを前記ミシン目（２）に沿う部分を除く周縁部（６）（７）（８）を接着することによって、前記ミシン目（２）で分割したときに上段領域（３）と表紙（５）とで封筒（９）ができるようにしており、さらに、表紙（５）は前記ミシン目（２）より下方に突出したフラップ（１０）を有することを特徴とする封筒型伝票。
【請求項２】
用紙本体（１）に、下段領域（４）を第１下段領域（４ａ）と第２下段領域（４ｂ）に分割する横方向のミシン目（１１）を設けている請求項１記載の封筒型伝票。
【請求項３】
左右両縁部に上端から下端に至る縦方向のミシン目（１２）（１３）を設け、分割してできた封筒（９）が、この縦方向のミシン目（１２）（１３）で端部を切り離すことにより開封できるとともに、下段領域（４）が、この縦方向のミシン目（１２）（１３）で端部を切り離すことにより、前記封筒（９）の内部に収納可能な幅になるようにしている請求項１又は２記載の封筒型伝票。
【請求項４】
フラップ（１０）の裏側に接着剤層（１４）を設け、さらに接着剤層（１４）を覆う剥離紙（１５）を設けた請求項１、２又は３記載の封筒型伝票。
【請求項５】
フラップ（１０）の左又は右の端部（１７）が用紙本体（１）に剥離可能に接着されている請求項１、２又は３記載の封筒型伝票。
【請求項６】
用紙本体（１）に剥離可能に接着されたフラップ（１０）の左又は右の端部（１７）の表側に適宜の印（１８）が付されている請求項５記載の封筒型伝票。
【発明の詳細な説明】
【技術分野】
【０００１】
この発明は、給与明細書、納品書、請求書、ダイレクトメール、その他各種の用途で使用可能な封筒型伝票に関するものである。
【背景技術】
【０００２】
従来、袋状の封筒型伝票が請求書や給与明細付の給料袋等として使用されている。この封筒型伝票は、袋の内側の面に明細等を印字するようになっているが、前記内側の面にはレーザビームプリンタで印字することはできず、ドットプリンタを使用しなければならないため、２種類のプリンタが必要になるという問題があった。
【０００３】
この従来の封筒型伝票の問題を解決したものとして、特許文献１に記載の封筒型伝票がある。この封筒型伝票は、裏面に剥離層を設けた表側紙の裏に糊付きの裏側紙を接着した、いわばシール紙を裏返しにして剥離紙側を印字面とした厚さ均一なる単票用紙の中央よりやや下方に折目線を設け、さらに折目線より下方の縁に、表側紙がスリッタにより他の部分と切り離なされて剥離可能となっており、表側紙を剥離すると裏側紙の糊の部分が表れるようになった糊代を設け、さらに前記折目線より印字面を内側にして上下二つ折りにしたときに突出する部分に宛て名記入欄を設けたものである。
【０００４】
この特許文献１に記載の封筒型伝票は、１台のレーザビームプリンタで印字することができ、印字した後、袋状にすることが可能である。
【０００５】
しかし、この特許文献１に記載の封筒型伝票は、封筒状にするには、プリンタで印字した後、二つ折りにして端部を接着する必要があった。従って、封筒状にするための手数がかかり、大量の件数を処理することは困難であった。
【特許文献１】特開平２００２−１７８６７２号公報
【発明の開示】
【発明が解決しようとする課題】
【０００６】
そこで、この発明は、１台のプリンタで明細等の印字ができ、内部に紙幣や明細等の紙片を収納可能な封筒状にすることが可能であり、かつ、封筒状にするための作業に手数がかからず、大量の件数でも短時間で処理が可能な封筒型伝票を提供することを課題とする。
【課題を解決するための手段】
【０００７】
この発明の封筒型伝票は、用紙本体１に横方向のミシン目２を設けて上段領域３と下段領域４とに分割可能にするとともに、上段領域３を覆う表紙５を設け、上段領域３と表紙５とを前記ミシン目２に沿う部分を除く周縁部６,７,８を接着することによって、前記ミシン目２で分割したときに上段領域３と表紙５とで封筒９ができるようにしており、さらに、表紙５は前記ミシン目２より下方に突出したフラップ１０を有するものとしている。
【０００８】
用紙本体１に、下段領域４を第１下段領域４ａと第２下段領域４ｂに分割する横方向のミシン目１１を設けてもよい。
【０００９】
左右両縁部に上端から下端に至る縦方向のミシン目１２,１３を設け、分割してできた封筒９が、この縦方向のミシン目１２,１３で端部を切り離すことにより開封できるとともに、下段領域４が、この縦方向のミシン目１２,１３で端部を切り離すことにより、前記封筒９の内部に収納可能な幅になるようにしてもよい。
【００１０】
フラップ１０の裏側に接着剤層１４を設け、さらに接着剤層１４を覆う剥離紙１５を設けたものとすることもできる。
【００１１】
フラップ１０の左又は右の端部１７が用紙本体１に剥離可能に接着されているものとすることもできる。
【００１２】
また、用紙本体１に剥離可能に接着されたフラップ１０の左又は右の端部１７の表側に適宜の印１８が付されているものとすることもできる。
【発明の効果】
【００１３】
この発明の封筒型伝票は、上述のような構成を有しており、ミシン目２で分割するだけで、用紙本体１の上段領域３と表紙５からなる封筒９ができる。しかも、封筒９に封をするためのフラップ１０を有しており、このフラップ１０は用紙本体１上において表紙５から下方に突出する態様で設けられているため、プリンタで紙送り可能で、１台のプリンタで上段領域３の表紙５と下段領域４に適宜印字をすることが可能である。
【００１４】
用紙本体１に、下段領域４を第１下段領域４ａと第２下段領域４ｂに分割する横方向のミシン目１１を設ければ、第１下段領域４ａと第２下段領域４ｂにそれぞれ印字を行い、一方を他方の控えとして使用することができる。
【００１５】
左右両縁部に上端から下端に至る縦方向のミシン目１２,１３を設け、分割してできた封筒９が、この縦方向のミシン目１２,１３で端部を切り離すことにより開封できるとともに、下段領域４が、この縦方向のミシン目１２,１３で端部を切り離すことにより、前記封筒９の内部に収納可能な幅にすることができるようにすれば、封筒９の開封や、封筒９への下段領域４の収納が容易になる。
【００１６】
フラップ１０の裏側に接着剤層１４を設け、さらに接着剤層１４を覆う剥離紙１５を設けたものとすれば、封筒９を手早く容易に封をすることができるようになる。
【００１７】
フラップ１０の左右いずれかの端部１７が用紙本体１に剥離可能に接着されているものとすれば、横方向に紙送りするプリンタに対応することが可能となる。
【００１８】
また、用紙本体１に剥離可能に接着されたフラップ１０の左又は右の端部１７の表側に適宜の印１８が付されているものとすれば、前記端部１７が用紙本体１に接着されていることが使用者に容易にわかり、プリンタの紙送りの方向に適切に対応することができ、この封筒型伝票をプリンタにつまらせたりすることを防止できる。
【発明を実施するための最良の形態】
【００１９】
以下、この発明の好適な実施形態を、図面を参照して説明する。
【００２０】
図１は、この発明の実施形態の封筒型伝票の斜視図、図２は断面図、図３は分割してできた封筒９の内部に紙片を入れる様子を示す説明図、図４は、表紙５のフラップ１０の剥離紙１５を剥がした状態の説明図である。
【００２１】
この発明の封筒型伝票は、用紙本体１に横方向のミシン目２を設けて上段領域３と下段領域４とに分割可能にするとともに、上段領域３を覆う表紙５を設け、上段領域３と表紙５とを前記ミシン目２に沿う部分を除く周縁部６,７,８を接着することによって、前記ミシン目２で分割したときに上段領域３と表紙５とで封筒９ができるようにしており、さらに、表紙５は前記ミシン目２より下方に突出したフラップ１０を有するものとしている。
【００２２】
この封筒型伝票は、用紙本体１の大きさをＡ４版としており、レーザビームプリンタ等で表裏両面に印刷を行なうことができる。なお、用紙本体１の大きさは適宜変更可能である。また、用途としては、例えば給与明細書として使用することができるが、これに限定されない。
【００２３】
横方向のミシン目２は、用紙本体１の左端から右端に至るものとしている。この実施形態では、前記ミシン目２に加え、もう１本の横方向のミシン目１１が設けられている。
【００２４】
２本のミシン目２，１１は平行に設けられている。ミシン目２は、用紙本体１を上段領域３と下段領域４の２つの各領域に分割し、ミシン目１１は、さらに下段領域４を第１下段領域４ａと第２下段領域４ｂの各領域に分割するものとしている。第１下段領域４ａと第２下段領域４ｂは、それぞれ縦方向の長さが封筒９に収容可能になるようにしている。なお、ミシン目２,１１を設ける位置は図示した例に限定されず、また、ミシン目の本数を増やして４つ以上に分割されるものとしたりすることもできる。
【００２５】
また、この封筒型伝票には、左右両縁部に上端から下端に至る縦方向のミシン目１２，１３が設けられており、分割してできた上段領域３と表紙５からなる封筒９は、この縦方向のミシン目１２，１３で端部を切り離し、開封できるようになっている。下段領域４は、この縦方向のミシン目１２，１３で端部を切り離すことにより、前記封筒９の内部に収納可能な幅となり、分割してできた第１下段領域４ａと第２下段領域４ｂを上下に重ねて前記封筒９の内部に収納することが可能となっている。
【００２６】
なお、ミシン目２，１１，１２，１３は、用紙本体１に表紙５を接着した後に形成されるもので、ミシン目２，１２，１３は、表紙５にも形成されている。また、ミシン目２，１１，１２，１３はマイクロミシンとすることができる。
【００２７】
上段領域３は、その表側の表紙５に「明細書」等のタイトルや宛名、会社名等の欄が設けられており、これらの欄にプリンタにより印字されるようになっている。表紙５には、郵送のためのあて先等を記載してもよい。
【００２８】
第１下段領域４ａの表側は、氏名、勤怠、支給、控除、差引支給額、振込支給額等の欄が設けられた明細書となっており、これらの欄に種々の内容がプリンタにより印字されるようになっている。第２下段領域４ｂは前記明細書の控えとなっている。
【００２９】
上段領域３の表紙５は、前記ミシン目２に沿う部分を除く周縁部６，７，８、すなわち図１におけるその上辺と左右各辺の３辺に沿う縁部の裏面を、用紙本体１の前記縁部の裏面と対面する部分に接着剤を用いて接着させている。
【００３０】
表紙５は、この封筒型伝票を同じ方向に多数枚重ねても安定した状態が維持できるように、なるべく厚みの薄いものとすることが望ましい。
【００３１】
図１における表紙５の下辺に沿う縁部ないしフラップ１０は、用紙本体１に接着されていない。この封筒型伝票は、フラップ１０が用紙本体１上において表紙５から下方に突出する態様で設けられているため、プリンタで縦方向に紙送り可能である。フラップ１０は、図示したように、角度を付け、指でつまみやすくすることができる。
【００３２】
この封筒型伝票は、上段領域３の表紙５と下段領域４の表側にプリンタで印字を行った後、図３に示したように、横方向のミシン目２,１１で切り離し、上段領域３、第１下段領域４ａ、第２下段領域４ｂに分割することができる。分割された上段領域３と表紙５は、フラップ１０を設けた側が開口した封筒９を構成し、第１下段領域４ａは、封筒９に収納される明細書、第２下段領域４ｂは明細書の控えとなる。第１下段領域４ａと第２下段領域４ｂはミシン目１１で切り離さず、ミシン目１１で折り曲げた状態で前記封筒９の内部に収納してもよい。
【００３３】
分割してできた上段領域３と表紙５からなる封筒９には、第１下段領域４ａと第２下段領域４ｂを分割してできた明細書等のほか、紙幣やその他各種の紙片を開口部１６から挿入することができる。また、封筒９の開口部１６付近では、表紙５のフラップ１０が突出しており、このフラップ１０が開口部１６を塞ぐ蓋となる。
【００３４】
フラップ１０は、裏側に接着剤層１４を設け、さらに接着剤層１４を覆う剥離紙１５を設けている（図４）。このフラップ１０の裏側の剥離紙１５を剥離して接着剤層１４を露出させ、裏側（図示正面側）に折り曲げて接着させることにより、封をすることができる。
【００３５】
図５はこの発明の他の実施形態の封筒型伝票の斜視図、図６はその裏面側を示す斜視図、図７は、図５のＡ−Ａ線断面図である。なお、図７において、表紙５、フラップ１０と用紙本体１との接着箇所を太い線で示している。
【００３６】
この封筒型伝票は、基本的な構成は図１〜図４に記載のものと同様であるが、フラップ１０の左端部１７の裏面を、点のりによって、用紙本体１の前記左端部１７の裏面と対面する部分に剥離可能に接着させている。前記接着には感圧接着剤を使用し、ミシン目２で分割する際に用紙本体１からフラップ１０をきれいに剥がすことができるようにするとよい。
【００３７】
また、接着剤層１４と剥離紙１５は、フラップ１０の裏側ではなく、用紙本体１の裏側において、横方向のミシン目２に沿って、ミシン目２の上側に設けられている。ミシン目２で分割されてできる封筒９は、前記裏側の剥離紙１５を剥離して接着剤層１４にフラップ１０を接着させることにより封ができるようになっている。
【００３８】
この封筒型伝票は、フラップ１０の左端部１７が用紙本体１に接着されているため、横方向（左方向）に紙送りするレーザビームプリンタで使用しても、つまったりせず、紙送りに支障が出ないようになっている。フラップ１０の左端部１７の表側には、丸印等のマーク１８を付し、フラップ１０の左端部１７の裏面を用紙本体１に接着させていることが使用者に容易にわかるようにしている。
【００３９】
なお、プリンタの給紙方向が右方向の場合はフラップ１０の右端部の裏面を用紙本体１に接着させ、その表側にマーク１８を付せばよく、また、左右両端部の裏面を用紙本体１に接着させてもよい。
【産業上の利用可能性】
【００４０】
レーザビームプリンタを使用して印字できる、給与明細書、納品書、請求書、ダイレクトメール、その他各種の用途で使用可能な封筒型伝票として利用することが可能である。
【図面の簡単な説明】
【００４１】
【図１】この発明の実施形態の封筒型伝票の斜視図である。
【図２】この発明の実施形態の封筒型伝票の断面図である。
【図３】この発明の実施形態の封筒型伝票を分割してできた封筒の内部に紙片を入れる様子を示す説明図である。
【図４】この発明の実施形態の封筒型伝票を分割してできた封筒の表紙のフラップの剥離紙を剥がした状態の説明図である。
【図５】この発明の他の実施形態の封筒型伝票の斜視図である。
【図６】この発明の他の実施形態の封筒型伝票の裏側を示す斜視図である。
【図７】図５のＡ−Ａ線断面図である。
【符号の説明】
【００４２】
１  用紙本体
２，１１  横方向のミシン目
３  上段領域
４  下段領域
４ａ  第１下段領域
４ｂ  第２下段領域
５  表紙
６，７，８  周縁部
９  封筒
１０  フラップ
１２，１３  縦方向のミシン目
１４  接着剤層
１５  剥離紙
１７  端部
１８  印
【図１】
2005199500.tif 000003
【図２】
2005199500.tif 000004
【図３】
2005199500.tif 000005
【図４】
2005199500.tif 000006
【図５】
2005199500.tif 000007
【図６】
2005199500.tif 000008
【図７】
2005199500.tif 000009